(57)【特許請求の範囲】
【請求項１】
浴槽水を循環経路に導入するための循環ポンプと、
導入された前記浴槽水が通過するように前記循環経路上に配置されたろ過部と、
前記浴槽水の目標温度を設定するための操作部と、
伝熱媒体と前記循環経路上の浴槽水との間で熱交換するための熱交換器と、
前記熱交換器における前記熱交換の実行および非実行を切換えるための温度調整部とを備え、
前記目標温度の設定可能領域は、第１の温度領域と、前記第１の温度領域と重複する温度領域を有することなく前記第１の温度領域よりも低く設定された第２の温度領域とを含み、
前記温度調整部は、
前記目標温度が前記第１の温度領域に含まれる場合には、前記浴槽水の温度が前記目標温度に対応して定められた第１の基準温度よりも低いときに前記熱交換を実行する一方で、前記浴槽水の温度が前記第１の基準温度よりも高いときに前記熱交換を非実行とし、
前記目標温度が前記第２の温度領域に含まれる場合には、前記浴槽水の温度が前記目標温度に対応して定められた第２の基準温度よりも高いときに前記熱交換を実行する一方で、前記浴槽水の温度が前記第２の基準温度よりも低いときに前記熱交換を非実行とし、
前記操作部は、
前記目標温度を低下させるための第１の操作ユニットと、
前記目標温度を上昇させるための第２の操作ユニットを含み、
前記第１の操作ユニットによって前記目標温度を前記第１の温度領域内から前記第２の温度領域内に低下させるときに要求されるユーザ操作は、前記第１の操作ユニットによって前記第１の温度領域内で前記目標温度を低下させるときのユーザ操作とは異なる、ろ過機。
【請求項２】
浴槽水を循環経路に導入するための循環ポンプと、
導入された前記浴槽水が通過するように前記循環経路上に配置されたろ過部と、
前記浴槽水の目標温度を設定するための操作部と、
伝熱媒体と前記循環経路上の浴槽水との間で熱交換するための熱交換器と、
前記熱交換器における前記熱交換の実行および非実行を切換えるための温度調整部とを備え、
前記目標温度の設定可能領域は、第１の温度領域と、前記第１の温度領域と重複する温度領域を有することなく前記第１の温度領域よりも低く設定された第２の温度領域とを含み、
前記温度調整部は、
前記目標温度が前記第１の温度領域に含まれる場合には、前記浴槽水の温度が前記目標温度に対応して定められた第１の基準温度よりも低いときに前記熱交換を実行する一方で、前記浴槽水の温度が前記第１の基準温度よりも高いときに前記熱交換を非実行とし、
前記目標温度が前記第２の温度領域に含まれる場合には、前記浴槽水の温度が前記目標温度に対応して定められた第２の基準温度よりも高いときに前記熱交換を実行する一方で、前記浴槽水の温度が前記第２の基準温度よりも低いときに前記熱交換を非実行とし、
前記操作部は、
前記目標温度を低下させるための第１の操作ユニットと、
前記目標温度を上昇させるための第２の操作ユニットを含み、
前記第２の操作ユニットによって前記目標温度を前記第２の温度領域内から前記第１の温度領域内に上昇させるときに要求されるユーザ操作は、前記第２の操作ユニットによって前記第２の温度領域内で前記目標温度を上昇させるときのユーザ操作とは異なる、ろ過機。
【発明の詳細な説明】
【技術分野】
【０００１】
この発明は、ろ過機に関し、より特定的には、温度調節機能を有するろ過機に関する。
【背景技術】
【０００２】
従来から、サウナ入浴後の冷水浴に代表される用途のため、いわゆる水風呂が用いられている。特開平６−１２５９６４号公報（特許文献１）には、冷水浴用の用水を、ミネラルフィルターでろ過した後、冷水機で所定の水温に冷却して水風呂に供給する、ろ過循環型の構成が記載されている。
【０００３】
また、特開２００９−８２９１８号公報（特許文献２）には、浴槽水のろ過循環経路中に、過熱蒸気供給管と接続された熱交換器を設けることによって、浴槽水の昇温および恒温化を可能にする、熱交換機能付の循環式浴槽ユニットが記載されている。
【先行技術文献】
【特許文献】
【０００４】
【特許文献１】特開平６−１２５９６４号公報
【特許文献２】特開２００９−８２９１８号公報
【発明の概要】
【発明が解決しようとする課題】
【０００５】
特許文献１および２によれば、浴槽水のろ過循環のための機構に対して、温度調整機能を付加することができる。なお、本明細書では、浴槽内に貯留された、通常浴用に適温（たとえば、４０℃前後）の湯、および、水風呂用に適温（たとえば、１５〜２０℃）の水の両者を包括して、単に「浴槽水」と称することとする。
【０００６】
ここで、特許文献２のろ過循環システムにおいて、熱交換器を冷却水の供給配管と接続することによって、水風呂にも適用可能とすることが考えられる。このような場合には、浴槽水を水風呂用の設定温度に維持するように、温度調整を実行する必要がある。
【０００７】
しかしながら、通常浴用途では水温低下時の昇温のために熱交換器を使用する一方で、水風呂用途では、水温上昇時に降温のための熱交換器を使用することが必要となる。したがって、上記のように、熱交換器の接続先を切換えるだけでは、通常浴用および水風呂用の両方に対応可能なろ過機を実現することができない。
【０００８】
このため、熱交換器の使用態様の差異に対応するための制御ロジックの切換のために、工場出荷時ないし施工工事時の特別設定を要する構成とすれば、ろ過機の製造時または取付時に特別な管理を要することとなるため、生産性ないし利便性の低下が懸念される。
【０００９】
この発明はこのような問題点を解決するためになされたものであって、この発明の目的は、簡易な入力操作によって通常浴用途および水風呂用途を切換えて使用可能な温度調整機能を有するろ過機を提供することである。
【課題を解決するための手段】
【００１０】
この発明のある局面では、ろ過機は、浴槽水を循環経路に導入するための循環ポンプと、ろ過部と、操作部と、熱交換器と、温度調整部とを備える。ろ過部は、導入された浴槽水が通過するように循環経路上に配置される。操作部は、浴槽水の目標温度をユーザが設定するために設けられる。熱交換器は、伝熱媒体と循環経路上の浴槽水との間で熱交換するために配置される。温度調整部は、熱交換器における熱交換の実行および非実行を切換える。目標温度の設定可能領域は、第１の温度領域と、第１の温度領域と重複する温度領域を有することなく第１の温度領域よりも低く設定された第２の温度領域とを含む。温度調整部は、目標温度が第１の温度領域に含まれる場合には、浴槽水の温度が目標温度に対応して定められた第１の基準温度よりも低いときに熱交換を実行する一方で、浴槽水の温度が第１の基準温度よりも高いときに熱交換を非実行とし、さらに、目標温度が第２の温度領域に含まれる場合には、浴槽水の温度が目標温度に対応して定められた第２の基準温度よりも高いときに熱交換を実行する一方で、浴槽水の温度が第２の基準温度よりも低いときに熱交換を非実行とする。
【００１１】
上記ろ過機によれば、温度調整のための熱交換器における熱交換について、通常浴用途のための温度調整制御（昇温機能）と、水風呂用途のための温度調整制御（降温機能）とのいずれを適用するかを、操作部に入力された目標温度に応じて切換えることができる。したがって、目標温度の入力に応じて、熱交換器へ高温伝熱媒体が供給される通常浴用途と、熱交換器へ低温伝熱媒体が供給される水風呂用途との両方に対して適用可能なろ過機の構成を実現することができる。
【００１２】
好ましくは、操作部は、目標温度を低下させるための第１の操作ユニットと、目標温度を上昇させるための第２の操作ユニットを含む。そして、第１の操作ユニットは、目標温度を第１の温度領域内から第２の温度領域内に低下させるときには、第１の温度領域内で目標温度を低下させるときとは異なる態様の操作を要するように構成される。第１の操作ユニットによって目標温度を第１の温度領域内から第２の温度領域内に低下させるときに要求されるユーザ操作は、第１の操作ユニットによって第１の温度領域内で目標温度を低下させるときのユーザ操作とは異なる。あるいは、第２の操作ユニットによって目標温度を第２の温度領域内から第１の温度領域内に上昇させるときに要求されるユーザ操作は、第２の操作ユニットによって第２の温度領域内で目標温度を上昇させるときのユーザ操作とは異なる。
【００１３】
このように構成すると、目標温度の変更操作によって、水風呂用途の温度調整制御と、通常浴用途の温度調整制御とが誤って切換えられることを防止できる。
【００１４】
また好ましくは、ろ過機は、ろ過機の動作状況に関する情報を表示するための表示部をさらに備える。表示部は、目標温度が第２の温度領域に含まれる場合には、水風呂用途であることを示す情報を表示するように構成される。
【００１５】
このように構成すると、ろ過機が水風呂用途に適用される温度調整制御を実行中であることを、ユーザが容易に視認できる。
【発明の効果】
【００１６】
この発明によれば、簡易な入力操作によって、通常浴用途および水風呂用途を切換えて使用することが可能な温度調整機能を有するろ過機を提供することができる。
【図面の簡単な説明】
【００１７】
【図１】本発明の実施の形態に従うろ過機が適用される浴場システムの構成を説明する概略図である。
【図２】図１に示されたろ過機の構成を説明するためのブロック図である。
【図３】本実施の形態に従うろ過機における温度調整制御のための制御処理を示す第１のフローチャートである。
【図４】本実施の形態に従うろ過機における温度調整制御のための制御処理を示す第２のフローチャートである。
【図５】目標温度を入力するためのリモコンの一例を示す外観図である。
【図６】目標温度の温度範囲と温度制御フラグの設定との関係の第１の例を示す概念図である。
【図７】目標温度の温度範囲と温度制御フラグの設定との関係の第２の例を示す概念図である。
【図８】目標温度の変更操作時の状態遷移図の一例である。
【発明を実施するための形態】
【００１８】
以下に、本発明の実施の形態について、図面を参照して詳細に説明する。なお以下では、図中の同一部分および相当部分には同一符号を付して、その説明は原則的に繰返さないものとする。
【００１９】
図１は、本発明の実施の形態に従うろ過機が適用される浴場システムの構成を説明する概略図である。
【００２０】
図１を参照して、浴場システム５は、浴槽補給水装置１０と、浴槽５０と、浴槽水をろ過するためのろ過機１００と、薬液注入ユニット３００と、昇降温用の熱源設備４００とを備える。浴槽５０は、通常浴および水風呂のいずれか一方の用途で用いられる。
【００２１】
浴場システム５において、浴槽５０が通常浴用途の場合には、熱源設備４００は、浴槽水を昇温（加熱）するための温熱源（たとえば、給湯機や蒸気発生機器）によって構成される。一方で、浴槽５０が水風呂用途の場合には、熱源設備４００は、浴槽水を降温（冷却）するための冷熱源（たとえば、チラー）によって構成される。
【００２２】
浴槽補給水装置１０は、入水管１１からの低温水および、入水管１２からの高温水を受けて、出水管１４から浴槽５０へ浴槽水を供給する。低温水および高温水の混合比率（０〜１００（％））を調整することにより、浴槽５０への出力温度が制御できる。たとえば、入水管１１，１２と接続された混合弁（図示せず）の開度を、浴槽補給水装置１０のマイクロコンピュータ（図示せず）で制御することによって、混合比率は制御できる。
【００２３】
さらに、浴槽補給水装置１０は、浴槽水の水位を制御する機能を有する。具体的には、浴槽５０に設けられた水位センサ５５からの検出信号に応じて、上記マイクロコンピュータが浴槽水の供給を制御することによって、水位制御が実現できる。水位センサ５５は、たとえば、水位に応じた水圧を検出するための圧力センサによって構成することができる。
【００２４】
浴槽５０には、ろ過機１００との間でろ過循環経路を形成するために、出水口５１ａ，５１ｂおよび入水口５２がさらに設けられる。浴槽５０の出水口５１ａ，５１ｂは、ろ過機１００の入水端１０１と接続される。同様に、浴槽５０の入水口５２は、ろ過機１００の出水端１０２と接続される。なお、浴槽５０の出水口５１ａ，５１ｂは、ユーザの操作によって開閉可能な開閉弁５６を経由して、排水経路とも接続されている。開閉弁５６は、通常時（排水時以外）には閉止される。ろ過機１００の運転時には、開閉弁５６が閉状態に維持されることにより、浴槽５０およびろ過機１００の間に浴槽水の循環経路を形成することができる。
【００２５】
ろ過機１００は、浴槽５０と接続された入水端１０１および出水端１０２に加えて、熱源設備４００と接続された入力端１０３および出力端１０４と、薬液注入ユニット３００と接続された薬液入力端１０５と、排水端１０７とをさらに有する。
【００２６】
入力端１０３には、熱源設備４００（温熱源または冷熱源）から伝熱媒体が入力される。伝熱媒体は、ろ過機１００の内部の通流後、出力端１０４から熱源設備４００へ戻される。これにより、ろ過機１００および熱源設備４００の間に、伝熱媒体の循環経路を形成することができる。
【００２７】
薬液注入ユニット３００は、ろ過機１００の洗浄運転に用いられる薬液を供給するためのポンプ３０５を有する。たとえば、薬液は、所定値以上の塩素濃度を有する。ポンプ３０５から供給された薬液は、薬液入力端１０５からろ過機１００へ入力される。
【００２８】
図２は、ろ過機１００の構成を説明するブロック図である。
図２を参照して、ろ過機１００は、ろ過タンク１１０と、循環ポンプ１２０と、ヘアーキャッチャー１３０と、流路切換弁１４０と、配管１４１〜１４５と、熱交換器１５０と、温度調整弁１６０とを有する。
【００２９】
ろ過タンク１１０は、ろ材１１２を内蔵する。配管１４２は、ろ過タンク１１０内のろ材１１２の上部領域と、流路切換弁１４０との間を接続する。同様に、配管１４３は、ろ過タンク１１０内のろ材１１２の下部領域と、流路切換弁１４０との間を接続する。配管１４３には、温度センサ１６６が配置される。
【００３０】
配管１４１は、入水端１０１および流路切換弁１４０の間に、循環ポンプ１２０およびヘアーキャッチャー１３０と直列に接続される。配管１４５は、流路切換弁１４０および排水端１０７の間を接続する。
【００３１】
配管１４４は、一端が流路切換弁１４０と接続されるとともに、他端が、熱交換器１５０を通過して、出水端１０２と接続されるように配置される。さらに、熱交換器１５０の下流側（出水端１０２側）には、温度センサ１６５が配置される。温度センサ１６５，１６６によって浴槽水の検出温度は、コントローラ１９０へ入力される。本実施の形態では、温度センサ１６６による検出温度Ｔｗを用いて、温度調整制御が実行される。
【００３２】
さらに、熱交換器１５０は、温度調整弁１６０を経由して、入力端１０３および出力端１０４と接続される。温度調整弁１６０は、コントローラ１９０によって制御される電磁三方弁によって構成されて、熱源設備４００からの伝熱媒体の経路を切換える。具体的には、伝熱媒体の経路は、入力端１０３から熱交換器１５０を通過して出力端１０４へ流れる経路１６１と、入力端１０３から熱交換器１５０をバイパスして出力端１０４へ流れる経路１６２との間で切替えられる。
【００３３】
温度調整弁１６０によって経路１６１が選択されると、配管１４４を通過する浴槽水と、熱源設備４００からの伝熱媒体との間で熱交換が実行される。一方で、温度調整弁１６０によって経路１６２が選択されると、浴槽水および伝熱媒体の間の熱交換は非実行とされる。このように、コントローラ１９０による温度調整弁１６０の制御によって、浴槽水および伝熱媒体の間の熱交換の実行および非実行を切換える機能が実現される。
【００３４】
なお、熱交換の実行時において、経路１６１を常時形成することは必須ではなく、温度調整弁１６０を間欠的に作動させること（いわゆる、オン・オフ制御）により経路１６１および１６２が交互に形成されてもよい。すなわち、熱交換の実行時には、経路１６１が形成される期間が、連続的または非連続的に設けられる。
【００３５】
循環ポンプ１２０は、コントローラ１９０によって制御されて、作動時には、入水端１０１から浴槽水を吸入する。ヘアーキャッチャー１３０は、浴槽水の入水端１０１と接続される。吸入された浴槽水は、ヘアーキャッチャー１３０および配管１４１を経由して、ろ過機１００内に導入される。
【００３６】
流路切換弁１４０は、配管１４１〜１４５の間に選択的に流路を形成するための、電磁五方弁によって形成される。流路切換弁１４０は、コントローラ１９０によって制御される。流路切換弁１４０の制御によって、ろ過機１００内での浴槽水の循環経路が切換えられる。
【００３７】
配管１４１は、薬液入力端１０５と接続される。洗浄運転の際には、薬液注入ユニット３００からの薬液が薬液入力端１０５を経由して注入されることにより、循環される浴槽水の塩素濃度を高めることができる。なお、配管１４３に対して、浴槽水の塩素濃度を検出するための塩素濃度検出部１７０が接続される。塩素濃度検出部１７０は、フィルタ１７１、水量センサ１７２および、塩素センサ１７３を有する。水量センサ１７２および塩素センサ１７３による検出信号は、コントローラ１９０へ入力される。
【００３８】
コントローラ１９０は、代表的には、マイクロコンピュータによって構成されて、リモートコントローラ５００（以下、「リモコン」とも表記する）に入力された運転指令に従って、ろ過機１００の動作を制御する。具体的には、コントローラ１９０は、循環ポンプ１２０、流路切換弁１４０、温度調整弁１６０の制御信号を生成して出力する。
【００３９】
運転指令は、ろ過機１００の作動および停止指令、ならびに、作動時の運転モードの選択指令を含む。これらの指令は、時刻スケジュールを予め指定する、いわゆるタイマ運転の態様で予約入力されてもよい。ろ過機１００は、熱交換器１５０を用いた浴槽水の温度調整機能を有する。運転指令は、浴槽水の目標温度Ｔｒを含む。
【００４０】
また、コントローラ１９０は、温度センサ１６５，１６６による検出温度の入力を受ける。さらに、コントローラ１９０は、浴槽補給水装置１０との通信によって、浴槽５０内の水位を示す信号Ｓｌｖを取得することができる。あるいは、水位センサ５５（図１）の出力信号を、コントローラ１９０へも入力する構成とすることも可能である。これにより、浴槽５０の水位不足時には、ろ過機１００の運転を不許可とすることができる。
【００４１】
さらに、コントローラ１９０は、塩素センサ１７３によって検出された塩素量を水量センサ１７２によって検出された水量で除算することにより、ろ過タンク１１０通過後の浴槽水中の塩素濃度を検出することができる。
【００４２】
次に、ろ過機１００の動作について説明する。
ろ過機１００の運転モードは、「ろ過運転モード」と、「逆洗運転モード」と、「洗浄運転モード」とを有する。
【００４３】
ろ過運転モードは、浴槽水をろ過循環するために、通常連続的に実行される。ろ過運転モードでは、循環ポンプ１２０が作動するとともに、流路切換弁１４０は、配管１４１および１４２の間、ならびに、配管１４３および１４４の間に流路を形成するように制御される。これにより、入水端１０１から吸入された浴槽水が、ヘアーキャッチャー１３０、循環ポンプ１２０、配管１４１、および配管１４２を経由して、ろ過タンク１１０内のろ材１１２の上部に導入される。すなわち、浴槽水は、ヘアーキャッチャー１３０により異物（塵や髪の毛等）を除去された後、ろ材１１２の通過によってろ過される。さらに、ろ過後の浴槽水は、配管１４３、配管１４４、熱交換器１５０を経由して、出水端１０２へ出力されて、浴槽５０（入水口５２）へ戻される。これにより、ろ過機１００および浴槽５０に、浴槽水の循環経路が形成される。
【００４４】
ろ過運転モードでは、熱交換器１５０を用いて、目標温度Ｔｒに従った温度調整制御がさらに実行される。当該温度調整制御の詳細については、後程説明する。
【００４５】
逆洗運転モードは、ろ過タンク１１０に溜まった汚れを排出するために、清掃時に実行される。逆洗運転モードでは、循環ポンプ１２０が作動するとともに、流路切換弁１４０は、配管１４１および１４３の間、ならびに、配管１４２および１４５の間に流路を形成するように制御される。これにより、入水端１０１から吸入された浴槽水は、ヘアーキャッチャー１３０、循環ポンプ１２０、配管１４１、および配管１４３を経由して、ろ過タンク１１０内のろ材１１２の下部へ導入される。そして、ろ過運転時とは逆方向の通流によってろ材１１２が舞い上げられることにより、ろ材１１２内の汚れが浴槽水によって排出される。ろ材１１２を逆方向に通流した浴槽水は、配管１４２および配管１４５を経由して、浴槽５０へ戻されることなく、排水端１０７から排出される。
【００４６】
洗浄運転モードは、主に、逆洗運転で生じた汚れた水を排出するために実行される。洗浄運転モードは、循環ポンプ１２０が作動するとともに、流路切換弁１４０は、配管１４１および１４２の間、ならびに、配管１４３および１４５の間に流路を形成するように制御される。これにより、入水端１０１から吸入された浴槽水は、ろ過タンク１１０内でろ材１１２の上部から下部へ通流し、ろ材１１２通過後の浴槽水は、配管１４３、および配管１４５を経由して、浴槽５０へ戻されることなく、排水端１０７から排出される。これにより、逆洗運転によって舞い上がったろ材１１２を締めることができる。
【００４７】
次に、ろ過運転モードにおける温度調整制御について詳細に説明する。
ろ過運転では、温度センサ１６６の検出温度Ｔｗに基づいて、熱交換器１５０における熱交換の実行および非実行を切換えることにより、ろ過機１００によって循環される浴槽水の温度を、目標温度Ｔｒに従って制御することができる。
【００４８】
熱源設備４００として温熱源が接続された構成では、伝熱媒体が浴槽水よりも高温であるため、浴槽水の温度が目標温度Ｔｒに対して低下したときに、熱交換の実行によって浴槽水を昇温（加熱）できる。この昇温機能により、目標温度Ｔｒが４０℃程度に設定されると、通常浴用途に適した温度領域に、浴槽水の温度を維持できる。
【００４９】
一方で、熱源設備４００として冷熱源が接続された構成では、伝熱媒体が浴槽水よりも低温であるため、浴槽水の温度が目標温度Ｔｒに対して上昇したときに、熱交換の実行によって浴槽水を降温（冷却）できる。この降温機能により、目標温度Ｔｒが１５〜２０℃程度に設定されると、水風呂用途に適した温度領域に、浴槽水の温度を維持できる。
【００５０】
このように、ろ過機１００による温度調整制御は、熱源設備４００として冷熱源が接続される水風呂用途、および、熱源設備４００として温熱源が接続される通常浴用途のいずれにも適用可能である。
【００５１】
しかしながら、上述のように、水風呂用途と通常浴用途では、熱交換の実行時における浴槽水の温度変化方向が逆となる。したがって、浴槽水の検出水温Ｔｗと目標温度Ｔｒとの高低比較に基づく、熱交換の実行および非実行について、水風呂用途および通常浴用途の間では、制御動作を反対とする必要がある。
【００５２】
この結果、コントローラ１９０は、水風呂用途および通常浴用途のいずれであるかの情報が与えられなければ、温度調整制御を適切に実行することができない。しかしながら、当該情報について、工場出荷時ないし施工工事時の特別設定を要する構成とすれば、ろ過機１００の製造または取付時に特別な管理を要することとなるため、生産性ないし利便性の低下が懸念される。
【００５３】
したがって、本実施の形態に従うろ過機１００では、下記のような温度調整制御を実行する。
【００５４】
図３および図４には、本実施の形態に従うろ過機１００における温度調整制御のための制御処理を示すフローチャートが示される。図３および図４に示された制御処理は、コントローラ１９０によって実行することができる。温度調整弁１６０およびコントローラ１９０による図３および図４の制御処理の組み合わせは、「温度調整部」の一実施例を構成する。
【００５５】
図３を参照して、コントローラ１９０は、ステップＳ１００により、リモコン５００によって入力された目標温度Ｔｒを読込む。さらに、コントローラ１９０は、ステップＳ１１０により、目標温度Ｔｒと判定しきい値Ｔｔｈとを比較する。
【００５６】
コントローラ１９０は、目標温度Ｔｒが判定しきい値Ｔｔｈよりも高いとき（Ｓ１１０のＹＥＳ判定時）には、ステップＳ１２０により、温度制御フラグＦＬＧ＝０に設定する。一方で、目標温度Ｔｒが判定しきい値Ｔｔｈ以下であるとき（Ｓ１１０のＮＯ判定時）には、ステップＳ１３０により、温度制御フラグＦＬＧ＝１に設定される。
【００５７】
判定しきい値Ｔｔｈは、水風呂用途での目標温度Ｔｒの一般的な設定範囲と、通常浴用途での目標温度Ｔｒの一般的な設定範囲とを区分可能な値、たとえば、２５．５℃程度に設定することができる。このようにすると、リモコン５００に対して、１℃刻みで目標温度Ｔｒを入力可能な構成では、Ｔｒ≦２５℃の温度領域では、水風呂用途の温度調整制御のために温度制御フラグＦＬＧ＝１に設定する一方で、Ｔｒ≧２６℃の温度領域では、通常浴用途の温度調整制御のために、温度制御フラグＦＬＧ＝０に設定することができる。
【００５８】
たとえば、図３に示された制御処理は、ろ過機１００の運転開始時、および、リモコン５００による目標温度Ｔｒの変更操作の実行時に起動されて実行される。また、図４に示される制御処理は、図３の制御処理によって設定された温度制御フラグＦＬＧを用いて、ろ過運転モード中に一定周期毎に起動して実行することができる。
【００５９】
図４を参照して、コントローラ１９０は、ステップＳ２００により、温度センサ１６６による、循環経路中の浴槽水の検出温度Ｔｗを読込む。そして、コントローラ１９０は、ステップＳ２１０により、温度制御フラグＦＬＧの値を確認する。
【００６０】
コントローラ１９０は、ＦＬＧ＝１のときには（Ｓ２１０のＹＥＳ判定時）、水風呂用途の温度調整制御のために、ステップＳ２２０、Ｓ２４０およびＳ２５０によって、温度調整制御を実行する。具体的には、コントローラ１９０は、浴槽水の検出温度Ｔｗが基準温度Ｔｒ１よりも高いときには（Ｓ２２０のＹＥＳ判定時）、熱交換器１５０での伝熱媒体（低温）との熱交換を実行するように温度調整弁１６０を制御する一方で（Ｓ２４０）、検出温度Ｔｗが基準温度Ｔｒ１以下であるとき（Ｓ２２０のＮＯ判定時）には、当該熱交換を非実行とするように温度調整弁１６０を制御する（Ｓ２５０）。基準温度Ｔｒ１は、目標温度Ｔｒと対応させて、たとえば、Ｔｒ１＝Ｔｒ＋α（α＞０）に設定することができる。
【００６１】
これに対して、コントローラ１９０は、ＦＬＧ＝０のときには（Ｓ２１０のＮＯ判定時）、通常浴用途の温度調整制御のために、ステップＳ２３０、Ｓ２４０およびＳ２５０によって、温度調整制御を実行する。具体的には、コントローラ１９０は、浴槽水の検出温度Ｔｗが基準温度Ｔｒ０よりも低いときには（Ｓ２３０のＹＥＳ判定時）、熱交換器１５０での伝熱媒体（高温）との熱交換を実行するように温度調整弁１６０を制御する一方で（Ｓ２４０）、検出温度Ｔｗが基準温度Ｔｒ０以上であるとき（Ｓ２３０のＮＯ判定時）には、当該熱交換を非実行とするように温度調整弁１６０を制御する（Ｓ２５０）。基準温度Ｔｒ０は、目標温度Ｔｒと対応させて、たとえば、Ｔｒ０＝Ｔｒ−β（β＞０）に設定することができる。あるいは、単純に、Ｔｒ０＝Ｔｒ１（＝Ｔｒ）と共通化することも可能である。基準温度Ｔｒ０は「第１の基準温度」に対応し、基準温度Ｔｒ１は「第２の基準温度」に対応する。
【００６２】
なお、基準温度Ｔｒ０およびＴｒ１の各々については、温度調整制御の動作安定化のためにヒステリシスを設けることが好ましい。たとえば、通常浴用途で用いられる基準温度Ｔｒ０（第１の基準温度）については、目標温度Ｔｒ＝４０℃のとき、熱交換の非実行時にはＴｒ０＝３９℃として、検出温度Ｔｗが３９℃よりも低下すると熱交換（加熱）を開始する一方で、熱交換の実行時には、Ｔｒ０＝４１℃として、検出温度Ｔｗが４１℃以上になると熱交換（加熱）を停止するように、ヒステリシスを設けることができる。
【００６３】
同様に、水風呂用途で用いられる基準温度Ｔｒ１（第２の基準温度）については、目標温度Ｔｒ＝１８℃のとき、熱交換の非実行時にはＴｒ１＝１９℃として、検出温度Ｔｗが１９℃よりも上昇すると熱交換（冷却）を開始する一方で、熱交換の実行時には、Ｔｒ１＝１７℃として、検出温度Ｔｗが１７℃以下になると熱交換（冷却）を停止するように、変化させることが好ましい。
【００６４】
このように、本実施に従うろ過機１００によれば、目標温度Ｔｒの温度領域に応じて、ろ過運転時における温度調整制御を、通常浴用途および水風呂用途の間で自動的に切換えて適用することができる。この結果、水風呂用途および通常浴用途を識別するための情報を特殊設定することなく、同一の構成によって通常浴用途および水風呂用途の両方に簡易に適用可能なろ過機を実現することができる。
【００６５】
次に、ユーザによる目標温度Ｔｒの入力態様の具体例について説明する。
図５は、本発明の実施の形態に従うろ過機１００の目標温度を入力するためのリモコン５００の一例を説明する外観図である。
【００６６】
図５を参照して、リモコン５００には、表示部５１０と、蓋部５２０と、複数の操作スイッチとが設けられる。蓋部５２０は、上下部方向に沿った回動によって開閉可能に構成されている。図５では、蓋部５２０は開状態である。蓋部５２０の閉状態時に覆われる領域にも、複数の操作スイッチが設けられている。
【００６７】
操作スイッチは、ろ過機１００の電源を入り切りするためのスイッチ、ろ過機１００の運転（タイマ運転／連続運転）を指示するためのスイッチ、予約確認を表示するためのスイッチおよび、時計合わせを指示するスイッチを含む。
【００６８】
特に、蓋部５２０に格納される操作スイッチは、目標温度Ｔｒを変化するための温度入力スイッチ５３０を含む。温度入力スイッチ５３０は、目標温度Ｔｒを現在値より低下させるためのダウンスイッチ５３１と、目標温度Ｔｒを現在値より上昇するためのアップスイッチ５３２とを有する。温度入力スイッチ５３０は「操作部」の一実施例に対応し、ダウンスイッチ５３１は「第１の操作ユニット」の一実施例に対応し、アップスイッチ５３２は「第２の操作ユニット」の一実施例に対応する。
【００６９】
表示部５１０は、単色表示または多色表示可能に構成されている。図５には、表示部５１０について、ろ過機１００の状態（たとえば運転状態）等を表示するときの、点灯時の表示例が示されている。たとえば、背景色（非点灯色）上に、表示すべき運転情報に従ったドット状のエリアを点灯状態に制御することによって、ユーザに対して運転情報を表示することができる。
【００７０】
図５の表示例では、「ろ過」運転中であることを示す文字情報、現在の日付および時刻を示す文字情報、ならびに、指定された運転時間（図中の例では、午後５時〜午前２時）を示すイメージ情報５１４等が表示される。これらの情報によって、ろ過機１００の運転状態を表示することができる。
【００７１】
さらに、表示部５１０には、温度調整制御に関連した情報５１１〜５１３をさらに表示することができる。図５の例では、目標温度Ｔｒの現在値を示す情報５１１、目標温度Ｔｒが所定温度よりも高いことを示す情報５１２および、温度制御フラグＦＬＧ＝０のときに表示される情報５１３がさらに表示されている。情報５１３の内容は、水風呂用途であることを示すように予め定められる。情報５１３の表示により、ユーザによる用途の確認が容易となる。情報５１３の表示時には、情報５１２は非表示とされる。
【００７２】
なお、表示部５１０については、必要に応じて消灯することによって、表示に要する消費電力を削減することができる。消灯時（非点灯時）には、表示部５１０への電力供給が停止される。
【００７３】
図６および図７には、目標温度Ｔｒの温度範囲と温度制御フラグの設定との関係の例が示される。
【００７４】
図６を参照して、目標温度Ｔｒは、最低温度Ｔ１から最高温度Ｔ２の範囲内で変更可能である。すなわち、Ｔ１〜Ｔ２の温度領域が、目標温度Ｔｒの設定可能領域に相当する。したがって、Ｔｒ＝Ｔ１の状態からダウンスイッチ５３１をさらに操作しても、目標温度ＴｒはＴ１から低下しない。同様に、Ｔｒ＝Ｔ２の状態からアップスイッチ５３２をさらに操作しても、目標温度ＴｒはＴ２から上昇しない。目標温度Ｔｒは、Ｔ１≦Ｔｒ≦Ｔ２の範囲内で連続的に（たとえば、１℃刻みで）設定することができる。
【００７５】
連続的に変化する目標温度Ｔｒの設定可能領域に対して、上述のように設定された判定しきい値Ｔｔｈを境に、Ｔ１≦Ｔｒ≦Ｔｔｈの領域ではＦＬＧ＝１に設定する一方で、Ｔｔｈ＜Ｔｒ≦Ｔ２の領域ではＦＬＧ＝０に設定することができる。すなわち、Ｔｔｈ＜Ｔｒ≦Ｔ２の領域は「第１の温度領域」の一実施例に対応し、Ｔ１≦Ｔｒ≦Ｔｔｈの領域は「第２の温度領域」の一実施例に対応する。
【００７６】
あるいは、図７に示されるように、目標温度Ｔｒの設定可能領域を不連続とすることも可能である。すなわち、目標温度Ｔｒは、Ｔ４＜Ｔｒ＜Ｔ３の領域内には設定不能としてもよい。この場合には、Ｔｒ＝Ｔ３の状態からダウンスイッチ５３１がさらに操作されると、目標温度ＴｒはＴ３からＴ４へ一変する。同様に、Ｔｒ＝Ｔ４の状態からアップスイッチ５３２がさらに操作されると、目標温度ＴｒはＴ４からＴ３へ一変する。
【００７７】
図７の例では、判定しきい値Ｔｔｈを、Ｔ３およびＴ４の間に設定することによって（Ｔ４＜Ｔｔｈ＜Ｔ３）、Ｔ１≦Ｔｒ≦Ｔ４（＜Ｔｔｈ）の領域を「第２の温度領域」としてＦＬＧ＝１に設定する一方で、（Ｔｔｈ＜）Ｔ３≦Ｔｔｈ≦Ｔ２の領域を「第１の温度領域」として、ＦＬＧ＝０に設定することができる。このようにすると、目標温度Ｔｒの変化に対する温度制御フラグＦＬＧの関係を、ユーザが明瞭に把握することが可能となる。
【００７８】
図６および図７のいずれの例によっても、ＦＬＧ＝１に設定される温度領域（第２の温度領域）は、ＦＬＧ＝０に設定される温度領域（第１の温度領域）よりも低く設定されており、かつ、第１および第２の温度領域は重複する温度領域を有さないことが理解される。
【００７９】
図８には、目標温度の変更操作時の状態遷移図の一例が示される。
図８を参照して、温度制御フラグＦＬＧ＝１に設定される温度領域内（図６のＴ１≦Ｔｒ≦Ｔｔｈ、または、図７のＴ１≦Ｔｒ≦Ｔ４）では、ユーザは、ダウンスイッチ５３１またはアップスイッチ５３２の操作５０１によって、目標温度Ｔｒを上昇または低下することができる。
【００８０】
これに対して、温度制御フラグＦＬＧ＝１に設定される温度領域から、温度制御フラグＦＬＧ＝０に設定される温度領域（図６のＴｔｈ＜Ｔｒ≦Ｔ２、または、図７のＴ３≦Ｔｒ≦Ｔ２）へ目標温度Ｔｒを変化させるとき、すなわち、判定しきい値Ｔｔｈを跨いで目標温度Ｔｒを上昇するときには、操作５０１とは異なる態様でのアップスイッチ５３２の別操作５０２がユーザに要求される。
【００８１】
たとえば、操作５０１において、アップスイッチ５３２を１回ずつ操作することによって目標温度Ｔｒを上昇していた場合には、当該アップスイッチ５３２を一定時間以上長押しする別操作５０２によって、目標温度Ｔｒを判定しきい値Ｔｔｈを超えて上昇させることができる。反対に、操作５０１において、アップスイッチ５３２を押しっ放しで目標温度Ｔｒを上昇していた場合には、別操作５０２として、アップスイッチ５３２を一旦オフした後に再度押すことが必要となる。
【００８２】
同様に、温度制御フラグＦＬＧ＝０に設定される温度領域内では、ユーザは、ダウンスイッチ５３１またはアップスイッチ５３２の操作５０３によって、目標温度Ｔｒを上昇または低下することができる。これに対して、温度制御フラグＦＬＧ＝０に設定される温度領域から、温度制御フラグＦＬＧ＝１に設定される温度領域へ目標温度Ｔｒを変化させるとき、すなわち、判定しきい値Ｔｔｈを跨いで目標温度Ｔｒを低下するときについても、操作５０３とは異なる態様でのダウンスイッチ５３１の別操作５０４がユーザに要求される。
【００８３】
たとえば、操作５０３において、ダウンスイッチ５３１を１回ずつ操作することによって目標温度Ｔｒを低下していた場合には、当該ダウンスイッチ５３１を一定時間以上長押しする別操作５０４によって、目標温度Ｔｒを判定しきい値Ｔｔｈを超えて低下させることができる。反対に、操作５０３において、ダウンスイッチ５３１を押しっ放しで目標温度Ｔｒを低下していた場合には、別操作５０４として、ダウンスイッチ５３１を一旦オフした後に再度押すことが必要となる。
【００８４】
図８に示されたように、温度制御フラグＦＬＧの変更につながるような目標温度Ｔｒの変更のための操作態様に制限を加えることによって、誤操作によって水風呂用途および通常浴用途が切換わってしまうことを防止できる。
【００８５】
なお、本実施の形態では、図２において、熱源設備４００からの伝熱媒体の経路を切換えるように温度調整弁１６０を配置することによって、熱交換器１５０における熱交換の実行および非実行を切換える「温度調整部」を構成する例を説明したが、これとは異なる構成によって、同様の温度調整制御を実現することも可能である。たとえば、浴槽水の循環経路について、熱交換器１５０を通過する経路と、熱交換器１５０をバイパスする経路とが切換えられるように温度調整弁１６０を配置する構成としても、熱交換器１５０での熱交換の実行および非実行を切換える「温度調整部」を構成することが可能である。
【００８６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８７】
５  浴場システム、１０  浴槽補給水装置、１１，１２  入水管、１４  出水管、５０  浴槽、５１ａ，５１ｂ  出水口（浴槽）、５２  入水口（浴槽）、５５  水位センサ、５６  開閉弁、１００  ろ過機、１０１  入水端、１０２  出水端、１０３  入力端、１０４  出力端、１０５  薬液入力端、１０７  排水端、１１０  ろ過タンク、１１２  ろ材、１２０  循環ポンプ、１３０  ヘアーキャッチャー、１４０  流路切換弁、１４１，１４２，１４３，１４４，１４５  配管、１５０  熱交換器、１６０  温度調整弁、１６１，１６２  経路（伝熱媒体）、１６５，１６６  温度センサ、１７０  塩素濃度検出部、１７１  フィルタ、１７２  水量センサ、１７３  塩素センサ、１９０  コントローラ、３００  薬液注入ユニット、３０５  ポンプ、４００  熱源設備、５００  リモートコントローラ、５０１，５０３  操作、５０２，５０４  別操作、５１０  表示部、５１１，５１２，５１３  情報、５２０  蓋部、５３０  温度入力スイッチ、５３１  ダウンスイッチ、５３２  アップスイッチ、ＦＬＧ  温度制御フラグ、Ｓｌｖ  信号（浴槽水位）、Ｔｒ  目標温度、Ｔｔｈ  判定しきい値、Ｔｗ  検出温度（浴槽水）。
【図１】
0006686524.tif 000002
【図２】
0006686524.tif 000003
【図３】
0006686524.tif 000004
【図４】
0006686524.tif 000005
【図５】
0006686524.tif 000006
【図６】
0006686524.tif 000007
【図７】
0006686524.tif 000008
【図８】
0006686524.tif 000009